(57)【要約】      （修正有）【課題】金属電極シートと首との密着の保持を適応保証し、針刺しの痛みを回避できるネックマッサージャーを提供する。【解決手段】ネックマッサージャーは、円弧状弾性ブラケット１１０と、弾性ブラケットの両端に設置される第１及び第２ハンドルとを含む。弾性ブラケットの内側には、１組のマッサージ電極モジュール１４０が少なくとも取り付けられる。電極モジュールは、弾性ブラケット上において径方向に沿って分布し、取付ブラケットと、電極取付台によって取付ブラケットの前端に固定される金属電極シートとを含む。取付ブラケットの後端は、球面連結部材に固定される。球面連結部材は、球面取付台内に内嵌される。球面取付台は、弾性ブラケットに固定される。球面連結部材と弾性ブラケットとの間には、ばね１４７が設置される。ばねは、径方向に沿って球面連結部材を球面取付台に圧着させる。【選択図】図４
0003226871.tif 000002
【実用新案登録請求の範囲】
【請求項１】
ネックマッサージャーであって、
円弧状弾性ブラケットと、前記円弧状弾性ブラケットの両端に設置される第１ハンドル及び第２ハンドルとを含み、
前記円弧状弾性ブラケットの内側には、１組のマッサージ電極モジュールが少なくとも取り付けられ、
前記マッサージ電極モジュールは、前記円弧状弾性ブラケット上において径方向に沿って分布し、
前記マッサージ電極モジュールは、取付ブラケットと、電極取付台によって前記取付ブラケットの前端に固定される金属電極シートとを含み、
前記取付ブラケットの後端は、球面連結部材に固定され、
前記球面連結部材は、球面取付台内に内嵌され、
前記球面取付台は、前記円弧状弾性ブラケットに固定され、
前記球面連結部材と前記円弧状弾性ブラケットとの間には、ばねが設置され、
前記ばねは、径方向に沿って前記球面連結部材を前記球面取付台に圧着させ、
前記球面連結部材と前記球面取付台とは球面係合されることを特徴とするネックマッサージャー。
【請求項２】
前記第１ハンドル及び前記第２ハンドル内には、バッテリー及び主制御回路基板がそれぞれ設置され、
前記主制御回路基板は、前記バッテリー及び前記マッサージ電極モジュールに電気的に接続されることを特徴とする請求項１に記載のネックマッサージャー。
【請求項３】
前記電極取付台内には、個々に独立した前記金属電極シートが少なくとも１組取り付けられ、
前記金属電極シートは、それぞれ前記主制御回路基板に設置される低周波パルス回路に接続されることを特徴とする請求項２に記載のネックマッサージャー。
【請求項４】
前記金属電極シートの下側には、電熱シートが設置され、
前記金属電極シート及び前記電熱シートは、いずれも前記電極取付台に設置されることを特徴とする請求項３に記載のネックマッサージャー。
【請求項５】
前記球面連結部材は、球面回動部と、前記球面回動部の中間に設置されるばね溝とを含み、
前記球面回動部の一方側には、位置規制柱が設置され、
前記球面取付台は、前記球面回動部に係合する球面環状部を含み、
前記球面環状部の周辺には、固定台板が一体に設置され、
前記球面環状部の一方側には、前記位置規制柱に対応して位置規制溝が設置されることを特徴とする請求項１に記載のネックマッサージャー。
【請求項６】
前記円弧状弾性ブラケットは、カラーを介して前記第１ハンドル及び前記第２ハンドルにそれぞれ固定的に連結され、
前記円弧状弾性ブラケットと前記マッサージ電極モジュールとの間には、密閉スリーブが嵌設され、
前記第１ハンドル及び前記第２ハンドルの内側には、いずれも内側シリコンパッドが設置されることを特徴とする請求項２に記載のネックマッサージャー。
【請求項７】
前記第１ハンドルは、第１外側ケース及び第１内側ケースを含み、
前記バッテリーは、バッテリー固定フレームを介して、前記第１外側ケース及び前記第１内側ケースによって形成された収容室に設置されることを特徴とする請求項６に記載のネックマッサージャー。
【請求項８】
前記第２ハンドルは、第２外側ケース及び第２内側ケースを含み、
前記主制御回路基板は、回路基板ホルダを介して、前記第２外側ケース及び第２内側ケースによって形成された収容室に取り付けられ、
前記主制御回路基板には、前記第２外側ケースの表面に対応して、スイッチボタンと、周波数の調整及びモードの調節のための制御ボタンとが設置されることを特徴とする請求項６に記載のネックマッサージャー。
【請求項９】
前記主制御回路基板には、バッテリー充電装置が集積して設置され、
前記バッテリー充電装置は、前記バッテリーに接続され、
前記第２ハンドルの一方側に対応して充電インレットが設置され、
前記充電インレットには、インレット密閉部材が設置されることを特徴とする請求項８に記載のネックマッサージャー。
【請求項１０】
前記円弧状弾性ブラケットの内側には、円弧の方向に沿ってＬＥＤライトリング及び中間回路基板が設置され、
前記ＬＥＤライトリングは、前記中間回路基板を介して前記主制御回路基板に接続されることを特徴とする請求項２に記載のネックマッサージャー。
【考案の詳細な説明】
【技術分野】
【０００１】
本考案は、マッサージ装置技術分野に関し、特にネックマッサージャーに関する。
【背景技術】
【０００２】
社会経済の急速な発展に伴い、生活スピードは次第に速くなり、特にスマートモバイル端末製品の普及により、人々の生活や仕事の形態は大きく変化している。仕事や勉強、日常生活では、人々の身体運動の量はますます少なくなり、コンピューターの前に座ったり携帯端末製品をかざしたりして仕事や勉強を実現している。また、人々の日常のエンターテイメントもモバイル端末に大きく依存し、人体が長時間に亘って比較的一定の姿勢を保つことで、首の筋肉が硬くなって首に筋肉痛が生じ、重症の場合には頸椎に損傷を与えてしまう。長期的には、人々の首の健康問題は次第に顕著になっている。しかしながら、肉体労働の代わりに知的労働が次第に多くなる現在の科学技術時代では、このような仕事や勉強、日常生活の形態を変えにくいので、首の健康を維持する方法が最も必要となっている。人々は、様々なネックマッサージャーを開発しており、多くのマッサージ方法で首の筋肉、血液及び頸椎を刺激することで、首の健康問題を効果的に緩和することができる。
【０００３】
ネックマッサージャーの構造は多種多様であり、使用されるマッサージ方式も多い。電子パルスマッサー器は、低周波パルスにより首をマッサージして筋肉をリラックスさせ、スポーツによる怪我を軽減させて体力の回復を補助する。電子パルスは、筋肉痛による運動、筋肉の痙攣及び手根管症候群を軽減させることができ、穏やかな電子パルスで痛みを軽減したり筋肉を刺激したりする。電子パルスに基づくネックマッサージャーは、通常、首にフィットする円弧状弾性ブラケットと、円弧状弾性ブラケットの両端に設置される１組のハンドルとを含み、ハンドル内にバッテリー及び装置回路基板デバイスが集積して設置され、円弧状弾性ブラケットの内側に人体の首に対応してマッサージ電極などのマッサージ部材が設置される。しかしながら、従来のネックマッサージャーは首のサイズによって調節しにくいため、電極モジュールは肌にうまくくっつかず、針を刺す痛みを生じる。ネックマッサージャーを首にくっつけるために、従来のネックマッサージャーのさらなる改良が必要となる。
【考案の概要】
【考案が解決しようとする課題】
【０００４】
本考案が解決しようとする技術的課題は、マッサージ電極が径方向及び周方向にいずれも適応調整空間を有することで、マッサージ電極と首との密着を保持するネックマッサージャーを提供することである。
【課題を解決するための手段】
【０００５】
上述した技術的課題を解決するために、本考案の技術方案は以下通りである。
ネックマッサージャーは、円弧状弾性ブラケットと、前記円弧状弾性ブラケットの両端に設置される第１ハンドル及び第２ハンドルとを含む。前記円弧状弾性ブラケットの内側には、１組のマッサージ電極モジュールが少なくとも取り付けられる。  前記マッサージ電極モジュールは、前記円弧状弾性ブラケット上において径方向に沿って分布する。前記マッサージ電極モジュールは、取付ブラケットと、電極取付台によって前記取付ブラケットの前端に固定される金属電極シートとを含む。  前記取付ブラケットの後端は、球面連結部材に固定される。前記球面連結部材は、球面取付台内に内嵌される。前記球面取付台は、前記円弧状弾性ブラケットに固定される。前記球面連結部材と前記円弧状弾性ブラケットとの間には、ばねが設置される。前記ばねは、径方向に沿って前記球面連結部材を前記球面取付台に圧着させる。前記球面連結部材と前記球面取付台とは球面係合される。
【０００６】
さらに、前記第１ハンドル及び前記第２ハンドル内には、バッテリー及び主制御回路基板がそれぞれ設置される。前記主制御回路基板は、前記バッテリー及び前記マッサージ電極モジュールに電気的に接続される。
【０００７】
さらに、前記電極取付台内には、個々に独立した前記金属電極シートが少なくとも１組取り付けられる。前記金属電極シートは、それぞれ前記主制御回路基板に設置される低周波パルス回路に接続される。
【０００８】
さらに、前記金属電極シートの下側には、電熱シートが設置される。前記金属電極シート及び前記電熱シートは、いずれも前記電極取付台に設置される。
【０００９】
さらに、前記球面連結部材は、球面回動部と、前記球面回動部の中間に設置されるばね溝とを含む。前記球面回動部の一方側には、位置規制柱が設置される。  前記球面取付台は、前記球面回動部に係合する球面環状部を含む。前記球面環状部の周辺には、固定台板が一体に設置される。前記球面環状部の一方側には、前記位置規制柱に対応して位置規制溝が設置される。
【００１０】
前記円弧状弾性ブラケットには、前記固定台板に対応して支持部材取付台が設置され、前記支持部材取付台には、前記ばね溝に対応してばね固定ベースが設置されてもよい。
【００１１】
さらに、前記円弧状弾性ブラケットは、カラーを介して前記第１ハンドル及び前記第２ハンドルにそれぞれ固定的に連結される。前記円弧状弾性ブラケットと前記マッサージ電極モジュールとの間には、密閉スリーブが嵌設される。前記第１ハンドル及び前記第２ハンドルの内側には、いずれも内側シリコンパッドが設置される。密閉スリーブは、円弧状弾性ブラケット内におけるデバイス及び配線を保護し、シリコンスリーブやＰＥスリーブ等であってもよい。
【００１２】
さらに、前記第１ハンドルは、第１外側ケース及び第１内側ケースを含む。前記バッテリーは、バッテリー固定フレームを介して、前記第１外側ケース及び前記第１内側ケースによって形成された収容室に設置される。
【００１３】
さらに、前記第２ハンドルは、第２外側ケース及び第２内側ケースを含む。前記主制御回路基板は、回路基板ホルダを介して、前記第２外側ケース及び第２内側ケースによって形成された収容室に取り付けられる。前記主制御回路基板には、前記第２外側ケースの表面に対応して、スイッチボタンと、周波数の調整及びモードの調節のための制御ボタンとが設置される。
【００１４】
前記主制御回路基板には、バッテリー充電装置が集積して設置され、前記バッテリー充電装置は、前記バッテリーに接続され、前記第２ハンドルの一方側に対応して充電インレットが設置され、前記充電インレットには、インレット密閉部材が設置されてもよい。
【００１５】
さらに、前記円弧状弾性ブラケットの内側には、円弧の方向に沿ってＬＥＤライトリング及び中間回路基板が設置される。前記ＬＥＤライトリングは、前記中間回路基板を介して前記主制御回路基板に接続される。
【００１６】
低周波パルス回路は、中間回路基板または主制御回路基板に設置され、主制御回路基板には、ＭＣＵプロセッサ、モード選択回路、周波数調整回路、スピーカー、バッテリー充電管理回路、無線通信デバイス等が集積して設置されてもよい。
【考案の効果】
【００１７】
本考案に係るネックマッサージャーは以下の顕著な効果を奏する。
本考案の実施例に係るマッサージ器は、球面連結部材及び球面取付台の設置により、ばねは、径方向に沿って球面連結部材を球面取付台に圧着させ、球面連結部材と球面取付台とを球面係合させる。こうすることで、マッサージ電極モジュールは、径方向においてばねによって一定の径方向における変位を有し、球面係合によって周方向において一定の回動変位量を有する。これにより、異なるユーザの首に適応し、良好な接触を保持する。また、マッサージ電極モジュールには、１組の金属電極シートが少なくとも設置され、２組のマッサージ電極モジュールが設置され、少なくとも４つの金属電極シートを形成することができる。４つの金属電極シートは、同時に動作したり、交代して動作したり、順次に繰り返し動作したりすることができる。各金属電極シートの動作形態を制御することにより、種類の異なる低周波マッサージモードを形成することができ、優れたマッサージ効果を得てユーザ体験を向上させる。
【００１８】
以下、本考案の実施例または従来技術の技術方案を更に明確に説明するために、実施例または従来技術の説明に必要な図面を簡単に説明する。下記の説明における図面は本考案の複数の実施例に過ぎず、当業者であれば、創造的な労働をしない前提で、これらの図面に基づいて他の図面を得ることが明らかである。
【図面の簡単な説明】
【００１９】
【図１】本考案の第１種のネックマッサージャーを示す平面構成図である。
【図２】本考案の第１種のネックマッサージャーを示す三次元構成図である。
【図３】本考案の第１種のネックマッサージャーを示す正面構成図である。
【図４】本考案の第１種のネックマッサージャーを示す断面構成図である。
【図５】本考案の第１種の携帯式ネックマッサージャーを示す三次元分解構成図である。
【図６】本考案の第１種のマッサージ電極モジュールを示す断面構成図である。
【図７】本考案の第１種のマッサージ電極モジュールを示す三次元分解構成図である。
【図８】本考案の第１種のネックマッサージャーを示す三次元分解構成図１である。
【図９】本考案の第１種のネックマッサージャーを示す三次元分解構成図２である。
【図１０】本考案のネックマッサージャーに係る低周波パルス回路原理図である。
【考案を実施するための形態】
【００２０】
以下、図面を参照しながら本考案の具体的な実施形態をより詳しく説明する。ここでは、これらの実施形態についての説明は、本考案の解釈を補助するためのものとして用いられるが、本考案を限定するためのものではないことを理解されたい。また、後述する本考案の各実施形態に係る技術的特徴は互いに矛盾しなければ互いに組み合わせてもよい。
【００２１】
実施例１
図１〜図３、図６及び図７に示すように、本考案に係るネックマッサージャー１００は、円弧状弾性ブラケット１１０と、前記円弧状弾性ブラケット１１０の両端に設置される第１ハンドル１２０及び第２ハンドル１３０とを含む。前記円弧状弾性ブラケット１１０の内側には、１組のマッサージ電極モジュール１４０が少なくとも取り付けられる。前記マッサージ電極モジュール１４０は、前記円弧状弾性ブラケット１１０上において径方向に沿って分布する。前記マッサージ電極モジュール１４０は、取付ブラケット１４４と、電極取付台１４３によって前記取付ブラケット１４４の前端に固定される金属電極シート１４１とを含む。前記取付ブラケット１４４の後端は、球面連結部材１４５に固定される。前記球面連結部材１４５は、球面取付台１４６内に内嵌される。前記球面取付台１４６は、前記円弧状弾性ブラケット１１０に固定される。前記球面連結部材１４５と前記円弧状弾性ブラケット１１０との間には、ばね１４７が設置される。前記ばね１４７は、径方向に沿って前記球面連結部材１４５を前記球面取付台１４６に圧着させる。前記球面連結部材１４５と前記球面取付台１４６とは球面係合される。
【００２２】
具体的には、球面連結部材１４５及び球面取付台１４６の設置により、ばね１４７は、径方向に沿って球面連結部材１４５を球面取付台１４６に圧着させ、球面連結部材１４５と球面取付台１４６とを球面係合させる。こうすることで、マッサージ電極モジュール１４０は、径方向においてばね１４７によって一定の径方向における変位を有し、球面係合によって周方向において一定の回動変位量を有する。これにより、異なるユーザの首に適用し、良好な接触を保持する。
【００２３】
また、前記第１ハンドル１２０及び前記第２ハンドル１３０内には、バッテリー１９０及び主制御回路基板１８０がそれぞれ設置される。前記主制御回路基板１８０は、前記バッテリー１９０及び前記マッサージ電極モジュール１４０に電気的に接続される．
【００２４】
また、前記電極取付台１４３内には、個々に独立した前記金属電極シート１４１が少なくとも１組取り付けられる。前記金属電極シート１４１は、それぞれ前記主制御回路基板１８０に設置される低周波パルス回路に接続される。マッサージ電極モジュール１４０には、１組の金属電極シート１４１が少なくとも設置され、２組のマッサージ電極モジュール１４０が設置され、少なくとも４つの金属電極シート１４１を形成することができる。４つの金属電極シート１４１は、同時に動作したり、交代して動作したり、順次に繰り返し動作したりすることができる。各金属電極シート１４１の動作形態を制御することにより、種類の異なる低周波マッサージモードを形成することができ、優れたマッサージ効果を得てユーザ体験を向上させる。
【００２５】
前記金属電極シート１４１の下側には、電熱シート１４２が設置され、前記金属電極シート１４１及び前記電熱シート１４２は、いずれも前記電極取付台１４３に設置されてもよい。電熱シート１４２を設置して金属電極シートを加熱することができ、特に低温の季節において電熱シート１４２により金属電極シートを首にやさしくフィットすることを保証する。
【００２６】
図８、図９に示すように、前記球面連結部材１４５は、球面回動部１４５１と、前記球面回動部１４５１の中間に設置されるばね溝１４５３とを含む。前記球面回動部１４５１の一方側には、位置規制柱１４５２が設置される。前記球面取付台１４６は、前記球面回動部１４５１に係合する球面環状部１４６１を含む。前記球面環状部１４６１の周辺には、固定台板１４６３が一体に設置される。前記球面環状部１４６１の一方側には、前記位置規制柱に対応して位置規制溝１４６２が設置される。位置規制柱１４５２と位置規制溝１４６２との間により、球面連結部材１４５は球面取付台１４６内において周方向に任意に回動できず、任意の回動によって金属電極シート１４１と電熱シート１４２との接続線が絡んでねじれて断線することを回避する。
【００２７】
前記円弧状弾性ブラケット１１０には、前記固定台板１４６３に対応して支持部材取付台１１１が設置され、前記支持部材取付台１１１には、前記ばね溝１４５３に対応してばね固定ベース１１２が設置されてもよい。
【００２８】
図４、図５に示すように、前記円弧状弾性ブラケット１１０は、カラー１６０を介して前記第１ハンドル１２０及び前記第２ハンドル１３０にそれぞれ固定的に連結される。前記円弧状弾性ブラケット１１０と前記マッサージ電極モジュール１４０との間には、密閉スリーブ１５０が嵌設される。前記第１ハンドル１２０及び前記第２ハンドル１３０の内側には、いずれも内側シリコンパッド１７０が設置される。密閉スリーブ１５０は、円弧状弾性ブラケット１１０内におけるデバイス及び配線を保護し、シリコンスリーブやＰＥスリーブ等であってもよい。
【００２９】
また、前記第１ハンドル１２０は、第１外側ケース１２１及び第１内側ケース１２２を含む。前記バッテリー１９０は、バッテリー固定フレーム１２３を介して、前記第１外側ケース１２１及び前記第１内側ケース１２２によって形成された収容室に設置される。前記第２ハンドル１３０は、第２外側ケース１３１及び第２内側ケース１３２を含む。前記主制御回路基板１８０は、回路基板ホルダ１３３を介して、前記第２外側ケース１３１及び第２内側ケース１３２によって形成された収容室に取り付けられる。前記主制御回路基板１８０には、前記第２外側ケース１３２の表面に対応して、スイッチボタン１８１と、周波数の調整及びモードの調節のための制御ボタン１８２とが設置される。
前記主制御回路基板１８０には、バッテリー充電装置が集積して設置され、前記バッテリー充電装置は、前記バッテリー１９０に接続され、前記第２ハンドル１３０の一方側に対応して充電インレット１８３が設置され、前記充電インレット１８３には、インレット密閉部材１３４が設置されてもよい。
【００３０】
図５に示すように、前記円弧状弾性ブラケット１１０の内側には、円弧の方向に沿ってＬＥＤライトリング２１０及び中間回路基板２００が設置される。前記ＬＥＤライトリング２１０は、前記中間回路基板２００を介して前記主制御回路基板１８０に接続される。
【００３１】
低周波パルス回路は、中間回路基板２００または主制御回路基板１８０に設置され、主制御回路基板１８０には、ＭＣＵプロセッサ、モード選択回路、周波数調整回路、スピーカー、バッテリー充電管理回路、無線通信デバイス等が集積して設置されてもよい。図１０に示すように、低周波パルス回路は、低周波発振器及び電子パルス出力回路からなる。低周波発振器は、タイミング集積回路ＩＣＩ、抵抗器Ｒ３，Ｒ４、可変抵抗器ＲＰ２、ダイオードＶＤ及びコンデンサＣ３，Ｃ４からなる。電子パルス出力回路は、トランジスタＶ、電子スイッチ集積回路ＩＣ２、コンデンサＣ１，Ｃ２、抵抗器Ｒ１，Ｒ２、可変抵抗器ＲＰ１、発光ダイオードＶＬ、昇圧トランスＴ及び出力ソケットＸＳからなる。電源スイッチＳをオンにした後、低周波発振器が通電動作し、ＩＣ１の３ピンからローレベルパルス信号が出力される。この信号は、Ｃ２によりＶのベース電極に付加されてＶ及びＩＣ２の動作状態を制御する。ＩＣ２から出力されるローレベルパルス信号が正パルス信号の場合には、Ｖを導通してＩＣ２の２ピンをローレベルにし、ＩＣ２内の電子スイッチをオンにし、４ピンからハイレベルを出力するとともにＶＬが発光する。ＩＣ１から出力されるローレベルパルス信号が負パルス信号の場合には、Ｖを非導通にし、ＩＣ２の２ピンをハイレベルにし、ＩＣ２の内部の電子スイッチをオフにし、４ピンからローレベルを出力してＶＬが消灯する。Ｖ及びＩＣ２は、低周波パルス信号により高速に交代してオンオフしてＶＬを点滅させ、Ｔの巻線Ｗ２に低周波パルス電流を生じる。この低周波パルス電流は、ＸＳに外接される金属電極シートを介して首に作用すれば、首をマッサージすることができる（筋肉をリラックスさせたり経穴を刺激したりする）。
【００３２】
本実施例のＭＣＵプロセッサ、モード選択回路、周波数調整回路、スピーカー、バッテリー充電管理回路、無線通信デバイスは、いずれも従来のデバイスから選択されたり、既存の回路構成原理を用いたりする。詳細については、省略する。
【００３３】
本考案の実施例のネックマッサージャーでは、マッサージ電極モジュールが径方向及び周方向のいずれかにおいて一定の弾性調整変位量を有することで、異なるユーザが使用する場合に自動的に適用して、金属電極シートと首との密着の保持を適応保証して、針を刺す痛みを回避する。さらに、独立した少なくとも２つの金属電極シートを各電極支持ブラケットに設置することで、金属電極シートの数を増やし、ＭＣＵプロセッサにより金属電極シートをそれぞれ異なる動作状態にし、これにより、種類の異なる低周波マッサージモードを形成してユーザ体験を向上させる。
【００３４】
図面を参照しながら本考案の実施形態を前述の通り詳しく説明したが、これらは決して本考案を限定するものではない。当業者であれば、本考案の原理及び精神から逸脱しない範囲において、これらの実施形態に対する多種の変更や修正、置換、変形は、本考案の保護を求める範囲内に属するものである。
【００３５】
本考案の説明では、「中心」、「縦方向」、「横方向」、「長さ」、「幅」、「厚み」、「上」、「下」、「前」、「後」、「左」、「右」、「鉛直」、「水平」、「頂部」、「底部」、「内」、「外」、「時計回り」、「反時計回り」、「軸方向」、「径方向」、「周方向」、「行」、「列」などの用語で示される方位または位置関係は、示された装置または部材が必ず有する特定の方位、特定の方位での構成及び操作を指示、暗示することなく、図示される方位または位置関係に基づいて本考案を容易に説明するためのものにすぎないため、本考案を限定するものではないことを理解されたい。
【００３６】
また、「第１」、「第２」の用語は、比較的重要性を指示、暗示したり、示される技術的特徴の数を示唆したりすることなく、単なる説明のためのものである。このため、「第１」、「第２」で限定される特徴は、少なくとも１つのこの特徴を含むことを明示または示唆することができる。本考案の説明では、「複数」の意味としては、具体的な限定が明確にない限り、少なくとも２つ、例えば、２つ、３つ等である。
【００３７】
本考案では、明確な規定や限定がない限り、「取付」、「連結」、「接続」、「固定」、「固着」などの用語は幅広く理解すべきであり、例えば、固定的に連結してもよいし、着脱可能に連結したり一体に形成したりしてもよく、または、機械的に連結したり、電気的に接続したりしてもよく、または、直接に連結したり、中間媒体を介して間接に連結したりしてもよいし、２つの部材の内部の連通または２つの部材の相互作用関係であってもよい。当業者にとって、具体的な状況に応じて本考案の上記の用語の意味を理解することができる。
【００３８】
本考案では、明確な規定や限定がない限り、第１特徴が第２特徴の「上」または「下」にあるのは、第１特徴が第２特徴に直接に接触してもよいし、第１特徴が中間媒体を介して第２特徴に間接に接触してもよい。さらに、第１特徴が第２特徴の「上」、「上方」及び「上面」にあるのは、第１特徴が第２特徴の真上または斜め上方にあってもよいし、第１特徴の水平高さが第２特徴の高さよりも高いことのみを表してもよい。第１特徴が第２特徴の「下」、「下方」及び「下面」にあるのは、第１特徴が第２特徴の真下または斜め下方にあってもよいし、第１特徴の水平高さが第２特徴の高さよりも低いことのみを表してもよい。
【符号の説明】
【００３９】
１００ ネックマッサージャー
１１０ 円弧状弾性ブラケット
１２０ 第１ハンドル
１３０ 第２ハンドル
１４０ マッサージ電極モジュール
１５０ 密閉スリーブ
１６０ カラー
１７０ 内側シリコンパッド
１８０ 主制御回路基板
１９０ バッテリー
２００   中間回路基板
２１０ ＬＥＤライトリング
１１１ 支持部材取付台
１１２ ばね固定ベース
１２１ 第１外側ケース
１２２ 第１内側ケース
１２３ バッテリー固定フレーム
１３１ 第２外側ケース
１３２ 第２内側ケース
１３３ 回路基板ホルダ
１３４ インレット密閉部材
１４１ 金属電極シート
１４２ 電熱シート
１４３ 電極取付台
１４４ 取付ブラケット
１４５ 球面連結部材
１４６ 球面取付台
１４７ ばね
１４５１ 球面回動部
１４５２ 位置規制柱
１４５３ ばね溝
１４６１ 球面環状部
１４６２ 位置規制溝
１４６３ 固定台板
１８１ スイッチボタン
１８２ 制御ボタン
１８３ 充電インレット
【図１】
0003226871.tif 000003
【図２】
0003226871.tif 000004
【図３】
0003226871.tif 000005
【図４】
0003226871.tif 000006
【図５】
0003226871.tif 000007
【図６】
0003226871.tif 000008
【図７】
0003226871.tif 000009
【図８】
0003226871.tif 000010
【図９】
0003226871.tif 000011
【図１０】
0003226871.tif 000012